(57)【要約】【課題】洗浄液を容器内部へ浸入させることなくユーザの肌に触れる部分の洗浄が可能であり、且つ低コストで製造可能な化粧品用チューブ容器を提供する。【解決手段】化粧品用チューブ容器１は、内部空間５１が区画された筒状部５、筒状部５の一端に連続して筒状部５を縮径する漏斗部６及び漏斗部６の先端部に突設され、内部空間５１と連通し且つ外周面７１Ｂに汎用の雄ネジ７５が形成された口部７を有する容器本体２と、口部７と着脱自在に螺合すると共に口部７を介して内部空間５１と連通する導出部３２及び導出部３２に設けられたスポンジヘッド３７を有する蓋３とを備える。【選択図】図３
2016202648.tif 000002
【特許請求の範囲】
【請求項１】
内部に収容室が区画された筒状部、当該筒状部の一端に連続して当該筒状部を縮径する漏斗部及び当該漏斗部の先端部に突設され、上記収容室と連通し且つ外周面に汎用ネジが形成された口部を有する容器本体と、
上記口部と着脱自在に螺合すると共に当該口部を介して上記収容室と連通する導出部及び当該導出部に設けられたスポンジヘッドを有する蓋とを備える化粧品用チューブ容器。
【請求項２】
上記スポンジヘッドを覆うように上記蓋に対して着脱可能なカバーを更に備える請求項１に記載の化粧品用チューブ容器。
【請求項３】
上記スポンジヘッドは、上記口部と連通された貫通孔を備え、
上記カバーは、上記蓋に装着された状態において、上記貫通孔を貫通する突出部を備える請求項２に記載の化粧品用チューブ容器。
【請求項４】
内部に収容室が区画された筒状部、当該筒状部の一端に連続して当該筒状部を縮径する漏斗部及び当該漏斗部の先端部に突設され、上記収容室と連通し且つ外周面に汎用ネジが形成された口部を有する容器本体に対して着脱可能な化粧品用チューブ容器の蓋であって、
上記口部と着脱自在に螺合すると共に当該口部を介して上記収容室と連通する導出部及び当該導出部に設けられたスポンジヘッドを有する化粧品用チューブ容器の蓋。
【発明の詳細な説明】
【技術分野】
【０００１】
本発明は、液状またはゲル状の化粧品が収容される化粧品用チューブ容器に関する。
【背景技術】
【０００２】
液状またはゲル糊状の化粧品は、一般に軟質のチューブ容器に収容される。化粧品が収容されるチューブ容器は、特許文献１の図６に開示されているように、スポンジヘッドを備えたキャップがチューブ容器に一体に取り付けられた構造を有するものがある。すなわち、チューブ本体にキャップが一体的に設けられている。チューブ容器が両側から挟み込まれることによって、チューブ容器内の化粧品がキャップから絞り出されてスポンジヘッドから染み出す。スポンジヘッドがユーザの肌に触れることによって、化粧品がユーザの肌に付着する。
【先行技術文献】
【特許文献】
【０００３】
【特許文献１】特開２００８−８００８６号公報
【発明の概要】
【発明が解決しようとする課題】
【０００４】
ところで、化粧品の付加価値の向上のため、化粧品用のチューブ容器の外観はデザイン的に優れたものでなければならず、そのために、チューブ容器の多くは、専用設計がなされており、前述のようにチューブ本体及びキャップは、特別の形状で一体的に形成される。しかしながら、かかる専用設計が施されることにより、チューブ容器の製造コストが大幅にアップしてしまう。
【０００５】
また、前述のように、スポンジヘッドは、ユーザの肌に直接触れるものであるため、スポンジヘッドを洗浄したいという要請がある。しかしながら、従来のキャップでは、見栄え重視の設計であるため、スポンジヘッドはチューブ本体に一体に取り付けられている。したがって、スポンジ形キャップを洗浄しようとすれば、洗浄液がスポンジヘッドを介してチューブ本体に浸入してしまうおそれがあり、事実上、洗浄は困難であった。
【０００６】
他方、化粧品用の容器に限らず、軟質のチューブ容器は液状ないしゲル状の物を収容するための汎用容器として世界中でコスト安価に製造されている。したがって、かかる汎用の容器を化粧品用の容器として流用することが可能であれば、化粧品用チューブ容器の製造コストが大幅に低減され得る。ただし、その場合に問題になるのは、化粧品用チューブ容器の見栄えであるが、模様や色彩の工夫により、外観が優れたものにすることは可能である。
【０００７】
この発明は、かかる背景のもとになされたものであって、その目的は、洗浄液を容器内部へ浸入させることなくユーザの肌に触れる部分の洗浄が可能であり、且つ低コストで製造可能な化粧品用チューブ容器を提供することである。
【課題を解決するための手段】
【０００８】
(1) 本発明に係る化粧品用チューブ容器は、内部に収容室が区画された筒状部、当該筒状部の一端に連続して当該筒状部を縮径する漏斗部及び当該漏斗部の先端部に突設され、上記収容室と連通し且つ外周面に汎用ネジが形成された口部を有する容器本体と、上記口部と着脱自在に螺合すると共に当該口部を介して上記収容室と連通する導出部及び当該導出部に設けられたスポンジヘッドを有する蓋とを備える。
【０００９】
本構成によれば、容器本体は、汎用ネジが形成された口部を有する。これにより、容器本体として、汎用容器を使用することができる。その結果、化粧品用チューブ容器の製造コストを下げることができる。
【００１０】
また、本構成によれば、蓋を口部から取り外すことができる。これにより、蓋を単体で洗浄することができる。その結果、容器本体の収容室への洗浄液の浸入を防止することができる。
【００１１】
(2) 本発明に係る化粧品用チューブ容器は、上記スポンジヘッドを覆うように上記蓋に対して着脱可能なカバーを更に備える。
【００１２】
本構成によれば、カバーを蓋に装着することにより、化粧品が付着したスポンジヘッドの外部との接触を防止することができる。
【００１３】
(3) 上記スポンジヘッドは、上記口部と連通された貫通孔を備える。上記カバーは、上記蓋に装着された状態において、上記貫通孔を貫通する突出部を備える。
【００１４】
本構成によれば、カバーを蓋に装着するに際して、突出部を貫通孔に挿入させることにより、カバーが蓋に対してずれることなくカバーを蓋に円滑に装着することができる。
【００１５】
(5) 本発明は、内部に収容室が区画された筒状部、当該筒状部の一端に連続して当該筒状部を縮径する漏斗部及び当該漏斗部の先端部に突設され、上記収容室と連通し且つ外周面に汎用ネジが形成された口部を有する容器本体に対して着脱可能な化粧品用チューブ容器の蓋であって、上記口部と着脱自在に螺合すると共に当該口部を介して上記収容室と連通する導出部及び当該導出部に設けられたスポンジヘッドを有する化粧品用チューブ容器の蓋として捉えることもできる。
【発明の効果】
【００１６】
この発明に係る化粧品用チューブ容器によれば、洗浄液を容器内部へ浸入させることなくユーザの肌に触れる部分の洗浄が可能であり、且つ低コストで製造可能である。
【図面の簡単な説明】
【００１７】
【図１】図１は、化粧品用チューブ容器１の外観斜視図である。
【図２】図２は、化粧品用チューブ容器１の外観斜視図である。
【図３】図３は、化粧品用チューブ容器１の縦断面図である。
【図４】図４は、化粧品用チューブ容器１の縦断面図である。
【図５】図５は、図３における蓋３の拡大図である。
【図６】図６は、軸方向１０１に視た蓋３の平面図である。
【発明を実施するための形態】
【００１８】
以下、本発明の好ましい実施形態が、適宜図面が参照されながら説明される。なお、本実施の形態は、本発明に係る化粧品用チューブ容器の一態様にすぎず、本発明の要旨を変更しない範囲で実施態様が変更されてもよいことは言うまでもない。
【００１９】
［化粧品用チューブ容器の概要］
【００２０】
図１〜図４に示されるように、化粧品用チューブ容器１は、容器本体２、蓋３、及びカバー４を備えている。
【００２１】
容器本体２には、液状またはゲル状の化粧品が収容可能である。容器本体２は、口部７を備えている。蓋３は、口部７に対して着脱可能である。カバー４は、蓋３に対して着脱可能である。図１〜図３には、蓋３が口部７から脱抜され、カバー４が蓋３から脱抜された化粧品用チューブ容器１が示されている。図４には、蓋３が口部７に装着され、カバー４が蓋３に装着された化粧品用チューブ容器１が示されている。
【００２２】
［容器本体］
【００２３】
図１〜図４に示されるように、容器本体２は、筒状部５と、漏斗部６と、口部７とを備えている。
【００２４】
筒状部５は、軸方向１０１、１０２（図３参照）に延びた円筒形状である。なお、筒状部５は、円筒形状に限らず、例えば中空の四角柱形状であってもよい。軸方向１０１、１０２は、互いに反対方向である。筒状部５は、可撓性を有する。
【００２５】
漏斗部６は、概ね円錐形状である。詳述すると、漏斗部６は、筒状部５の軸方向１０１の端部から軸方向１０１に対して筒状部５を縮径する方向に傾斜しつつ延びている。図３及び図４に示されるように、漏斗部６は、筒状部５よりも厚く構成されている。
【００２６】
筒状部５の内部空間５１（収容室の一例）は、筒状部５の内周面５Ａと、漏斗部６の内面６Ａとによって区画されている。内部空間５１には、液状またはゲル状の化粧品が収容される。筒状部５の軸方向１０２の端部は、開放されている。筒状部５の軸方向１０２の端部は、内部空間５１に化粧品が収容された後、筒状部５と同材質で構成された部材（不図示）によって封止される。当該部材は、熱溶着、接着、または嵌合などによって、筒状部５の軸方向１０２の端部に取り付けられる。
【００２７】
図１〜図４に示されるように、口部７は、漏斗部６の先端部に突設されている。詳述すると、口部７は、漏斗部６の軸方向１０１の端部であり且つ径方向の中心部から軸方向１０１に突出した円筒形状の筒状部７１と、筒状部７１の突出先端部（軸方向１０１の端部）に設けられた平板部７２とを備えている。
【００２８】
口部７の内部空間７３は、筒状部７１の内周面７１Ａと、平板部７２の内面７２Ａとによって区画されている。筒状部７１の軸方向１０２の端部は開放されている。これにより、内部空間７３は、筒状部５の内部空間５１と連通されている。平板部７２の径方向の中心部には、開口７４が形成されている。開口７４は、内部空間７３と口部７の外部とを連通させている。開口７４は、内部空間７３を介して内部空間５１と繋がっている。
【００２９】
筒状部７１の外周面７１Ｂに、雄ネジ７５（汎用ネジの一例）が形成されている。筒状部７１の外径Ｄ１及び内径Ｄ２（図３参照）は、所定のネジ規格に規定された直径である。ここで、所定のネジ規格は、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）規格またはＪＩＳ（Ｊａｐａｎｅｓｅ  Ｉｎｄｕｓｔｒｉａｌ  Ｓｔａｎｄａｒｄｓ）規格である。
【００３０】
［蓋］
【００３１】
図３〜図５に示されるように、蓋３は、円板部３０及び内筒部３１よりなる導出部３２と、外筒部３３と、第１リブ３４と、第２リブ３５と、第３リブ３６と、スポンジヘッド３７とを備えている。
【００３２】
図５に示されるように、円板部３０の一方の面３０Ａは、軸方向１０１を向いている。円板部３０の他方の面３０Ｂは、軸方向１０２を向いている。円板部３０の径方向の中心部には、面３０Ａから面３０Ｂに亘って軸方向１０２に沿った貫通孔３８が形成されている。
【００３３】
内筒部３１は、円筒形状である。内筒部３１は、面３０Ｂから軸方向１０２に延びている。図６に示されるように、内筒部３１は、軸方向１０１に視て、貫通孔３８の周囲に設けられている。図３に示されるように、内筒部３１の内径は、口部７の外径Ｄ１と略同一である。図５に示されるように、内筒部３１の内周面３１Ａに、雌ネジ３９が形成されている。雌ネジ３９と口部７に形成された雄ネジ７５（図３参照）とが螺合することによって蓋３が口部７に装着される（図４参照）。つまり、蓋３は、口部７と着脱自在に螺合する。
【００３４】
図４に示されるように、蓋３が口部７に装着された状態において、貫通孔３８は開口７４を通じて内部空間７３と連通している。ここで、上述したように、内部空間７３は、内部空間５３と連通している。よって、導出部３２は、口部７を介して内部空間５３と連通されている。
【００３５】
図５に示されるように、外筒部３３は、円筒形状である。なお、外筒部３３は、円筒形状に限らない。例えば、外筒部３３は、筒状部５が中空の四角柱形状である場合に、筒状部５に合わせて中空の四角柱形状であってもよい。外筒部３３は、面３０Ｂの周縁部（面３０Ｂにおける内筒部３１よりも径方向の中心部から遠い位置）から軸方向１０２に延びている。つまり、図６に示されるように、軸方向１０１に視て、外筒部３３は内筒部３１の周囲に設けられている。図５に示されるように、外筒部３３の軸方向１０２の長さは、内筒部３１の軸方向１０２の長さよりも長い。外筒部３３の突出先端部（軸方向１０２の端部）の直径は、外筒部３３の突出基端部（軸方向１０１の端部）の直径よりも大きい。図４に示されるように、蓋３が口部７に装着された状態において、外筒部３３の突出先端部は容器本体２の漏斗部６に当接している。図５に示されるように、外筒部３３の突出先端部の外周面３３Ａに、周方向１０３、１０４（図６参照）に沿った凹部２８が形成されている。
【００３６】
第１リブ３４は、面３０Ｂにおける貫通孔３８の周縁部から軸方向１０２に延びている。図６に示されるように、第１リブ３４は、軸方向１０１に視て環状である。第１リブ３４によって囲まれた空間は、貫通孔３８の一部を構成している。図５に示されるように、第１リブ３４の軸方向１０２の長さは、内筒部３１の軸方向１０２の長さよりも短い。
【００３７】
第２リブ３５は、面３０Ｂにおける第１リブ３４よりも径方向の中心部から遠い位置であり且つ内筒部３１よりも径方向の中心に近い位置から軸方向１０２に延びている。図６に示されるように、第２リブ３５は、軸方向１０１に視て環状である。図５に示されるように、第２リブ３５の軸方向１０２の長さは、第１リブ３４の軸方向１０２の長さと略同一である。
【００３８】
第３リブ３６は、面３０Ａの周縁部から軸方向１０１に延びている。図６に示されるように、第３リブ３６は、軸方向１０２に視て環状である。図５に示されるように、第３リブ３６の内径は、以下に説明するスポンジヘッド３７の外径と略同一である。
【００３９】
スポンジヘッド３７の材質は、多孔材料である。スポンジヘッド３７は、概ね円柱形状である。スポンジヘッド３７は、面３０Ａに接着剤などによって貼り付けられている。スポンジヘッド３７の直径は、第３リブ３６の内径と略同一である。これにより、スポンジヘッド３７は、面３０Ａへの貼り付けの際に位置決めされる。スポンジヘッド３７の軸方向１０１の端部の周縁は、湾曲形状である。スポンジヘッド３７の径方向の中心部には、軸方向１０１及び軸方向１０２に沿った貫通孔２９が形成されている。貫通孔２９の直径は、貫通孔３８の直径と略同一である。
【００４０】
スポンジヘッド３７が面３０Ａに貼り付けられた状態において、貫通孔２９は、貫通孔３８と連続している。また、貫通孔３８は、開口７４を通じて内部空間７３と連通している。よって、貫通孔２９は、口部７と連通されている。
【００４１】
［カバー］
【００４２】
図１〜図４に示されるように、カバー４は、円板部４１と、筒状部４２と、突出部４３とを備えている。
【００４３】
筒状部４２は、円板部４１の軸方向１０２を向いた面４１Ａの周縁部から軸方向１０２に延びている。筒状部４２の内周面４２Ａの軸方向１０２の端部には、周方向１０３、１０４（図６参照）に沿った凸部４４が形成されている。カバー４が蓋３に装着された状態において、凸部４４が蓋３の外筒部３３に形成された凹部２８と嵌合する。これにより、カバー４が蓋３に装着された状態が維持可能である。
【００４４】
突出部４３は、面４１Ａの中心部から軸方向１０２に延びており、円柱形状である。突出部４３の軸方向１０２の長さは、筒状部４２の軸方向１０２の長さよりも短い。突出部４３の直径は、貫通孔２９、３８の直径と略同一である。図４に示されるように、カバー４が蓋３に装着された状態において、突出部４３は、貫通孔２９を貫通し、貫通孔３８に挿入されている。
【００４５】
［蓋及びカバーの装着及び脱抜］
【００４６】
化粧品用チューブ容器１の非使用時において、図４に示されるように、蓋３は、雄ネジ７５と雌ネジ３９とが螺合することによって、容器本体２の口部７に装着されている。このとき、第２リブ３５は、平板部７２と当接している。また、凸部４４が凹部２８と嵌合することによって、カバー４が蓋３に装着されている。このとき、突出部４３は、貫通孔２９を貫通し、貫通孔３８に挿入されている。
【００４７】
図３に示されるように、化粧品用チューブ容器１の使用に際して、カバー４が蓋３から脱抜される。詳述すると、カバー４が使用者によって軸方向１０１に引っ張られると、凸部４４と凹部２８（図５参照）との嵌合が解除されて、カバー４が蓋３から脱抜される。その後、筒状部５の外周面５Ｂが使用者に押圧されることによって、内部空間５１に収容された化粧品が、内部空間５１から内部空間７３、開口７４、貫通孔３８、及び貫通孔２９を介して、スポンジヘッド３７に浸透される。そして、化粧品は、スポンジヘッド３７から染み出される。
【００４８】
図３に示されるように、蓋３の洗浄に際して、蓋３が容器本体２の口部７から脱抜される。詳述すると、蓋３が口部７に対して締結方向と逆方向に回転されると、雄ネジ７５と雌ネジ３９との螺合が解除されるため、蓋３が口部７から脱抜される。口部７から脱抜された蓋３は、単独で洗浄可能である。
【００４９】
［実施形態の効果］
【００５０】
この実施形態によれば、容器本体２は、汎用の雄ネジ７５が形成された口部７を有する。これにより、容器本体２として、汎用容器を使用することができる。その結果、化粧品用チューブ容器１の製造コストを下げることができる。
【００５１】
また、この実施形態によれば、蓋３を口部７から取り外すことができる。これにより、蓋３を単体で洗浄することができる。その結果、容器本体２の内部空間５１への洗浄液の浸入を防止することができる。
【００５２】
また、この実施形態によれば、カバー４を蓋３に装着することにより、化粧品が付着したスポンジヘッド３７の外部との接触を防止することができる。
【００５３】
また、この実施形態によれば、カバー４を蓋３に装着するに際して、突出部４３を貫通孔２９に挿入させることにより、カバー４が蓋３に対してずれることなくカバー４を蓋３に円滑に装着することができる。
【符号の説明】
【００５４】
１・・・化粧品用チューブ容器
２・・・容器本体
３・・・蓋
４・・・カバー
５・・・筒状部
６・・・漏斗部
７・・・口部
２８・・・凹部
２９・・・貫通孔
３０・・・円板部
３１・・・内筒部
３２・・・導出部
３３・・・外筒部
３４・・・第１リブ
３５・・・第２リブ
３６・・・第３リブ
３７・・・スポンジヘッド
３８・・・貫通孔
３９・・・雌ネジ
４１・・・円板部
４２・・・筒状部
４３・・・突出部
５１・・・内部空間
７１・・・筒状部
７２・・・平板部
７３・・・内部空間
７４・・・開口
７５・・・雄ネジ
１０１・・・軸方向
１０２・・・軸方向
１０３・・・周方向
１０４・・・周方向
【図１】
2016202648.tif 000003
【図２】
2016202648.tif 000004
【図３】
2016202648.tif 000005
【図４】
2016202648.tif 000006
【図５】
2016202648.tif 000007
【図６】
2016202648.tif 000008